(57)【要約】    【課題】      ＤＣＦ非準拠のＪＰＥＧデータを画質の劣化なくＤＣＦ準拠のＪＰＥＧデータに変換するとともに、他のＤＣＦ準拠の機器との連携を可能にすること。    【解決手段】  ＪＰＥＧデータ中の量子化テーブルを抽出して量子化テーブル一時保持部１０２及び量子化テーブル結合処理部１０３へ出力する。量子化テーブル一時保持部１０２は、量子化テーブル抽出処理部１０１にて抽出された量子化テーブルを一時保持して量子化テーブル結合処理部１０３へ出力する。量子化テーブル結合処理部１０３は、量子化テーブル一時保持部１０２から入力した量子化テーブルと量子化テーブル抽出処理部１０１から入力した量子化テーブルより、一つのセグメントに結合して、ＪＰＥＧデータ中の量子化テーブルと置き換え、図示しないメモリカード等の記憶部へ出力する。  【選択図】      図１
2006101212.tif 000002
【特許請求の範囲】
【請求項１】
複数の各セグメントに定義されているＪＰＥＧデータの量子化テーブルをＪＰＥＧデータより抽出する量子化テーブル抽出手段と、
前記量子化テーブル抽出手段にて抽出された前記量子化テーブルを結合して前記複数のセグメントを一つのセグメントにする量子化テーブル結合処理手段と、
を具備することを特徴とする画像変換装置。
【請求項２】
複数の各セグメントに定義されているＪＰＥＧデータのハフマンテーブルをＪＰＥＧデータより抽出するハフマンテーブル抽出手段と、
前記ハフマンテーブル抽出手段にて抽出された前記ハフマンテーブルを結合して前記複数のセグメントを一つのセグメントにするハフマンテーブル結合処理手段と、
を具備することを特徴とする画像変換装置。
【請求項３】
ＪＰＥＧデータを復号してＤＣＴ係数を取得する可変長復号処理手段と、
リスタートインターバルを設定するリスタートインターバル設定処理手段と、
前記可変長復号処理手段にて取得されたＤＣＴ係数を前記リスタートインターバル設定処理手段で設定されたリスタートインターバルで符号化する可変長符号化処理手段と、
を具備することを特徴とする画像変換装置。
【請求項４】
ＪＰＥＧデータを復号してＤＣＴ係数を取得する可変長復号処理手段と、
ハフマンテーブルを予め定めた所定のテーブルに設定するためのハフマンテーブル設定処理手段と、
前記可変長処理手段にて取得されたＤＣＴ係数を前記ハフマンテーブル設定処理手段で設定されたハフマンテーブルを用いて符号化する可変長符号化処理手段と、
を具備することを特徴とする画像変換装置。
【請求項５】
請求項１から請求項４のいずれかに記載の画像変換装置を具備することを特徴とする通信端末装置。
【請求項６】
請求項１から請求項４のいずれかに記載の画像変換装置を具備することを特徴とするディジタルスチルカメラ。
【請求項７】
複数の各セグメントに定義されているＪＰＥＧデータの量子化テーブルをＪＰＥＧデータより抽出する工程と、
抽出された前記量子化テーブルを結合して前記複数のセグメントを一つのセグメントにする工程と、
を具備することを特徴とする画像変換方法。
【請求項８】
複数の各セグメントに定義されているＪＰＥＧデータのハフマンテーブルをＪＰＥＧデータより抽出する工程と、
抽出された前記ハフマンテーブルを結合して前記複数のセグメントを一つのセグメントにする工程と、
を具備することを特徴とする画像変換方法。
【請求項９】
ＪＰＥＧデータを復号してＤＣＴ係数を取得する工程と、
リスタートインターバルを設定する工程と、
取得されたＤＣＴ係数を設定されたリスタートインターバルで符号化する工程と、
を具備することを特徴とする画像変換方法。
【請求項１０】
ＪＰＥＧデータを復号してＤＣＴ係数を取得する工程と、
ハフマンテーブルを予め定めた所定のテーブルに設定する工程と、
取得されたＤＣＴ係数を設定されたハフマンテーブルを用いて符号化する工程と、
を具備することを特徴とする画像変換方法。
【請求項１１】
複数の各セグメントに定義されているＪＰＥＧデータの量子化テーブルをＪＰＥＧデータより抽出する工程と、
抽出された前記量子化テーブルを結合して前記複数のセグメントを一つのセグメントにする工程と、
を実行させることを特徴とする画像変換用のコンピュータプログラム。
【請求項１２】
複数の各セグメントに定義されているＪＰＥＧデータのハフマンテーブルをＪＰＥＧデータより抽出する工程と、
抽出された前記ハフマンテーブルを結合して前記複数のセグメントを一つのセグメントにする工程と、
を実行させることを特徴とする画像変換用のコンピュータプログラム。
【請求項１３】
ＪＰＥＧデータを復号してＤＣＴ係数を取得する工程と、
リスタートインターバルを設定する工程と、
取得されたＤＣＴ係数を設定されたリスタートインターバルで符号化する工程と、
を実行させることを特徴とする画像変換用のコンピュータプログラム。
【請求項１４】
ＪＰＥＧデータを復号してＤＣＴ係数を取得する工程と、
ハフマンテーブルを予め定めた所定のテーブルに設定する工程と、
取得されたＤＣＴ係数を設定されたハフマンテーブルを用いて符号化する工程と、
を実行させることを特徴とする画像変換用のコンピュータプログラム。
【発明の詳細な説明】
【技術分野】
【０００１】
本発明は、特にＪＰＥＧ(Joint Photographic Expert Group)規格に従って圧縮された画像データを変換する画像変換装置、通信端末装置、ディジタルスチルカメラ、画像変換方法及びコンピュータプログラムに関する。
【背景技術】
【０００２】
静止画撮影可能なディジタルスチルカメラ（以下「ＤＳＣ」と略す）等の急速な普及に伴い、小型のメモリカードが広く利用されるようになった。最近ではＤＳＣのみならず、携帯電話やＰＨＳ(Personal Handy Phone System)などの携帯端末にも搭載されている。このような携帯端末では、カメラ撮影による静止画の他に、インターネットを介して入手した静止画も存在し、そのような静止画は必ずしもメモリカード上にて規定されている形式になっていない。
【０００３】
規定の形式でない静止画ファイルをメモリカードに格納するために、規定外のファイルを格納するための独自ディレクトリを作成するものが知られている（例えば、特許文献１）。従来は、ＤＣＦ(Design Rule for Camera File System)非準拠のＪＰＥＧデータを記録媒体に格納する際に、独自ディレクトリを定義し、そのディレクトリに格納する構成を採用しているので、ＤＣＦ非準拠のＪＰＥＧデータを記録媒体に格納することが可能である。
【０００４】
ＪＰＥＧ方式の伸張処理は、符号データをハフマンテーブルを用いてエントロピー復号化した後、量子化テーブルを用いて逆量子化を施し、逆ＤＣＴ（Discrete Cosine Transform）した後に伸張画像を得ている。
【０００５】
また、ＤＣＦ非準拠のＪＰＥＧデータを、ＤＣＦ準拠の形式に変換する場合、一般に、一度ＪＰＥＧデータを復号し、復号された画像データをＤＣＦ形式に準拠するように、以下の点に注意し再符号化することで実現している。
【０００６】
なお、ＤＣＦ規格準拠の条件は、以下の通りである。
（１）量子化テーブルは、全てを一つのセグメントに記録しなければならない。
（２）ハフマンテーブルは、ＪＰＥＧ規格に規定されているTypical Huffman Tableでなければならない。
（３）ハフマンテーブルは、全てを一つのセグメントに記録しなければならない。
（４）リスタートインターバルマーカを挿入する場合、リスタートインターバルマーカ（ＤＲＩ）を一つだけ記録し、リスタートインターバルは４ＭＣＵ(Minimum Coded Unit: ＪＰＥＧ規格での最小圧縮単位、ＤＣＴのサイズである８ｘ８ブロック)単位でなければならない。
【０００７】
なお、ＪＰＥＧ規格では、任意の間隔でリスタートマーカ（ＲＳＴ）を圧縮画像データのデータストリームに挿入することにより、データ誤りが発生し、データが破壊した場合でも、リスタートマーカの次のＭＣＵから正常な伸張動作を可能にするように定義されている。そして、リスタートマーカの挿入間隔は、リスタートインターバルマーカ（ＤＲＩ）で定義される。
【特許文献１】特開２００２−１４９４５６号公報
【発明の開示】
【発明が解決しようとする課題】
【０００８】
しかしながら、従来の方法においては、格納されたＪＰＥＧデータは、ＤＣＦ規格に準拠しておらず、他のＤＣＦ準拠の機器で閲覧することを考慮していなかった。また、従来の方法においては、ＤＣＦ非準拠のＪＰＥＧデータを規格準拠のＪＰＥＧに変換するために、一度復号した画像データを再符号化することで実現していたため、再符号化により画質が劣化するという問題がある。
【０００９】
本発明は、かかる点に鑑みてなされたものであり、ＤＣＦ非準拠のＪＰＥＧデータを画質の劣化なくＤＣＦ準拠のＪＰＥＧデータに変換することができるとともに、他のＤＣＦ準拠の機器との連携を可能にすることができる画像変換装置、通信端末装置、ディジタルスチルカメラ、画像変換方法及びコンピュータプログラムを提供することを目的とする。
【課題を解決するための手段】
【００１０】
本発明の画像変換装置は、複数の各セグメントに定義されているＪＰＥＧデータの量子化テーブルをＪＰＥＧデータより抽出する量子化テーブル抽出手段と、前記量子化テーブル抽出手段にて抽出された前記量子化テーブルを結合して前記複数のセグメントを一つのセグメントにする量子化テーブル結合処理手段と、を具備する構成を採る。
【００１１】
また、本発明の画像変換装置は、複数の各セグメントに定義されているＪＰＥＧデータのハフマンテーブルをＪＰＥＧデータより抽出するハフマンテーブル抽出手段と、前記ハフマンテーブル抽出手段にて抽出された前記ハフマンテーブルを結合して前記複数のセグメントを一つのセグメントにするハフマンテーブル結合処理手段と、を具備する構成を採る。
【００１２】
また、本発明の画像変換装置は、ＪＰＥＧデータを復号してＤＣＴ係数を取得する可変長復号処理手段と、リスタートインターバルを設定するリスタートインターバル設定処理手段と、前記可変長復号処理手段にて取得されたＤＣＴ係数を前記リスタートインターバル設定処理手段で設定されたリスタートインターバルで符号化する可変長符号化処理手段と、を具備する構成を採る。
【００１３】
また、本発明の画像変換装置は、ＪＰＥＧデータを復号してＤＣＴ係数を取得する可変長復号処理手段と、ハフマンテーブルを予め定めた所定のテーブルに設定するためのハフマンテーブル設定処理手段と、前記可変長処理手段にて取得されたＤＣＴ係数を前記ハフマンテーブル設定処理手段で設定されたハフマンテーブルを用いて符号化する可変長符号化処理手段と、を具備する構成を採る。
【００１４】
また、本発明の画像変換方法は、複数の各セグメントに定義されているＪＰＥＧデータの量子化テーブルをＪＰＥＧデータより抽出する工程と、抽出された前記量子化テーブルを結合して前記複数のセグメントを一つのセグメントにする工程と、を具備するようにした。
【００１５】
また、本発明の画像変換方法は、複数の各セグメントに定義されているＪＰＥＧデータのハフマンテーブルをＪＰＥＧデータより抽出する工程と、抽出された前記ハフマンテーブルを結合して前記複数のセグメントを一つのセグメントにする工程と、を具備するようにした。
【００１６】
また、本発明の画像変換方法は、ＪＰＥＧデータを復号してＤＣＴ係数を取得する工程と、リスタートインターバルを設定する工程と、取得されたＤＣＴ係数を設定されたリスタートインターバルで符号化する工程と、を具備するようにした。
【００１７】
また、本発明の画像変換方法は、ＪＰＥＧデータを復号してＤＣＴ係数を取得する工程と、ハフマンテーブルを予め定めた所定のテーブルに設定する工程と、取得されたＤＣＴ係数を設定されたハフマンテーブルを用いて符号化する工程と、を具備するようにした。
【００１８】
また、本発明のコンピュータプログラムは、複数の各セグメントに定義されているＪＰＥＧデータの量子化テーブルをＪＰＥＧデータより抽出する工程と、抽出された前記量子化テーブルを結合して前記複数のセグメントを一つのセグメントにする工程と、を実行させるようにした。
【００１９】
また、本発明のコンピュータプログラムは、複数の各セグメントに定義されているＪＰＥＧデータのハフマンテーブルをＪＰＥＧデータより抽出する工程と、抽出された前記ハフマンテーブルを結合して前記複数のセグメントを一つのセグメントにする工程と、を実行させるようにした。
【００２０】
また、本発明のコンピュータプログラムは、ＪＰＥＧデータを復号してＤＣＴ係数を取得する工程と、リスタートインターバルを設定する工程と、取得されたＤＣＴ係数を設定されたリスタートインターバルで符号化する工程と、を実行させるようにした。
【００２１】
更に、本発明のコンピュータプログラムは、ＪＰＥＧデータを復号してＤＣＴ係数を取得する工程と、ハフマンテーブルを予め定めた所定のテーブルに設定する工程と、取得されたＤＣＴ係数を設定されたハフマンテーブルを用いて符号化する工程と、を実行させるようにした。
【発明の効果】
【００２２】
本発明によれば、ＤＣＦ非準拠のＪＰＥＧデータを画質の劣化なくＤＣＦ準拠のＪＰＥＧデータに変換することができるとともに、他のＤＣＦ準拠の機器との連携を可能にすることができる。
【発明を実施するための最良の形態】
【００２３】
以下に、本発明の実施の形態について図面を参照して詳細に説明する。
【００２４】
（実施の形態１）
図１は、本発明の実施の形態１における画像変換装置１００の構成を示す機能ブロック図である。
【００２５】
量子化テーブル抽出処理部１０１は、ＪＰＥＧデータ中の量子化テーブルを抽出して量子化テーブル一時保持部１０２及び量子化テーブル結合処理部１０３へ出力する。量子化テーブル一時保持部１０２は、量子化テーブル抽出処理部１０１にて抽出された量子化テーブルを一時保持して量子化テーブル結合処理部１０３へ出力する。量子化テーブル結合処理部１０３は、量子化テーブル一時保持部１０２から入力した量子化テーブルと量子化テーブル抽出処理部１０１から入力した量子化テーブルより、一つのセグメントに結合して、図示しないメモリカード等の記憶部へ出力する。
【００２６】
次に、画像変換装置１００の動作について、図５を用いて説明する。図５は、画像変換装置１００の動作を示すフロー図である。
【００２７】
量子化テーブル抽出処理部１０１は、ＪＰＥＧデータ中の量子化テーブルを抽出し、抽出された量子化テーブルは量子化テーブル一時保持部１０２に保持される。そして、量子化テーブル結合処理部１０３は、量子化テーブル一時保持部１０２から入力した量子化テーブルと量子化テーブル抽出処理部１０１から入力した量子化テーブルより、一つのセグメントに結合して量子化テーブルを結合し（Ｓ５０１）、入力されたＪＰＥＧデータ中の量子化テーブルと置き換え、図示しないメモリカード等の記憶部へ出力する。
【００２８】
次に、量子化テーブル結合処理部１０３における量子化テーブル結合処理の一例を図９に示す。図９に示されるように、結合前の量子化テーブル定義は、複数のセグメント９０１、９０２に分割されている。そこで、量子化テーブル９０１と量子化テーブル９０２とをそれぞれ各セグメントから取り出し、新しい一つのセグメントに結合させる。９０３は、量子化テーブル９０１と量子化テーブル９０２とを結合した後の量子化テーブルである。
【００２９】
なお、図９において、ＤＱＴは、量子化テーブルを規定するマーカを示し、Ｌｑ１〜Ｌｑ３は、ＤＱＴパラメータの長さを示している。
【００３０】
このように、本実施の形態１によれば、ＤＣＦ規格準拠の条件を満たすように構成したので、ＤＣＦ非準拠のＪＰＥＧデータを画質の劣化なくＤＣＦ準拠のＪＰＥＧデータに変換することができるとともに、他のＤＣＦ準拠の機器との連携を可能にすることができる。
【００３１】
（実施の形態２）
図２は、本発明の実施の形態２における画像変換装置２００の構成を示す機能ブロック図である。
【００３２】
ハフマンテーブル抽出処理部２０１は、ＪＰＥＧデータ中のハフマンテーブルを抽出してハフマンテーブル一時保持部２０２及びハフマンテーブル結合処理部２０３へ出力する。ハフマンテーブル一時保持部２０２は、ハフマンテーブル抽出処理部２０１にて抽出されたハフマンテーブルを一時保持してハフマンテーブル結合処理部２０３へ出力する。ハフマンテーブル結合処理部２０３は、ハフマンテーブル一時保持部２０２から入力したハフマンテーブルとハフマンテーブル抽出処理部２０１から入力したハフマンテーブルより、一つのセグメントに結合して、入力されたＪＰＥＧデータ中のハフマンテーブルと置き換え、図示しないメモリカード等の記憶部へ出力する。
【００３３】
次に、画像変換装置２００の動作について、図６を用いて説明する。図６は画像変換装置２００の動作を示すフロー図である。
【００３４】
ハフマンテーブル抽出処理部２０１は、ＪＰＥＧデータ中のハフマンテーブルを抽出し、抽出されたハフマンテーブルはハフマンテーブル一時保持部２０２に保持される。そして、ハフマンテーブル結合処理部２０３は、ハフマンテーブル一時保持部２０２から入力したハフマンテーブルとハフマンテーブル抽出処理部２０１から入力したハフマンテーブルより、一つのセグメントに結合してハフマンテーブルを結合し（Ｓ６０１）、図示しないメモリカード等の記憶部へ出力する。
【００３５】
次に、ハフマンテーブル結合処理部２０３におけるハフマンテーブル結合処理の一例を図１０に示す。図１０に示されるように、結合前のハフマンテーブル定義は４つのセグメント１００１〜１００４に分割されている。そこで、ハフマンテーブル１００１〜ハフマンテーブル１００４を各セグメントより取り出し、新しい一つのセグメント１００５に結合させる。
【００３６】
なお、図１０において、ＤＨＴは、ハフマンテーブルを規定するマーカを示し、Ｌｈ１〜Ｌｈ５は、ＤＨＴパラメータの長さを示している。
【００３７】
このように、本実施の形態２によれば、ＤＣＦ規格準拠の条件を満たすように構成したので、ＤＣＦ非準拠のＪＰＥＧデータを画質の劣化なくＤＣＦ準拠のＪＰＥＧデータに変換することができるとともに、他のＤＣＦ準拠の機器との連携を可能にすることができる。
【００３８】
（実施の形態３）
図３は本発明の実施の形態３における画像変換装置３００の構成を示す機能ブロック図である。
【００３９】
可変長復号処理部３０１は、ＪＰＥＧデータを復号してリスタートインターバル設定処理部３０２へ出力する。リスタートインターバル設定処理部３０２は、可変長復号処理部３０１から入力した復号されたＪＰＥＧデータを、ＤＣＦ準拠するようにリスタートインターバルを設定して可変長符号化処理部３０３へ出力する。可変長符号化処理部３０３は、リスタートインターバル設定処理部３０２から入力したＪＰＥＧデータに対して、可変長復号処理部３０１から出力されるＤＣＴ係数をリスタートインターバル設定処理部３０２で設定されたリスタートインターバルで符号化する。そして、可変長符号化処理部３０３は、符号化したＪＰＥＧデータを図示しないメモリカード等の記憶部へ出力する。
【００４０】
次に、画像変換装置３００の動作について、図７を用いて説明する。図７は、画像変換装置３００の動作を示すフロー図である。なお、本実施の形態３の説明では、変換前のＪＰＥＧデータはリスタートインターバル１で、リスタートインターバル無効のＪＰＥＧデータに変換する場合について説明する。
【００４１】
可変長復号処理部３０１に図１１に示すＪＰＥＧデータ１１０１を入力し、ＪＰＥＧデータが可変長復号されることにより、図１２に示すＭＣＵブロック２つ分のＤＣＴ係数１２０１、１２０２を得る（Ｓ７０１）。図１２中の矢印は、ＪＰＥＧ規格でのジグザグスキャン順を示す。その後、リスタートインターバル設定処理部３０２でリスタートインターバルを設定する（Ｓ７０２）。そして、リスタートインターバル設定処理部３０２で設定されたリスタートインターバル無効設定を用いて、図１２に示されるＤＣＴ係数１２０１、１２０２を可変長符号化処理部３０３で可変長符号化を行なう（Ｓ７０３）。可変長符号化されたＪＰＥＧデータ１３０１の一例を図１３に示す。また、この場合のハフマンテーブル１４０１、１４０２の一例を図１４に示す。この場合、ハフマンコードの置換えのみ発生するので、画質劣化はない。
【００４２】
このように、本実施の形態３によれば、ＤＣＦ非準拠のＪＰＥＧデータを画質の劣化なくＤＣＦ準拠のＪＰＥＧデータに変換することができるとともに、他のＤＣＦ準拠の機器との連携を可能にすることができる。
【００４３】
（実施の形態４）
図４は、本発明の実施の形態４における画像変換装置４００の構成を示す機能ブロック図である。なお、本実施の形態４に係る画像変換装置４００は、図３に示す実施の形態３に係る画像変換装置３００において、図４に示すように、リスタートインターバル設定処理部３０２を除き、ハフマンテーブル設定処理部４０１を追加する。なお、図４においては、図３と同一構成である部分には同一の符号を付してその説明は省略する。
【００４４】
ハフマンテーブル設定処理部４０１は、可変長復号処理部３０１から入力した復号されたＪＰＥＧデータより、ハフマンテーブルを所定のテーブルに設定して可変長符号化処理部３０３へ出力する。
【００４５】
次に、画像変換装置４００の動作について、図８を用いて説明する。図８は、画像変換装置４００の動作を示すフロー図である。
【００４６】
まず、可変長復号処理部３０１にＪＰＥＧデータを入力し、ＪＰＥＧデータを可変長復号し（Ｓ８０１）、ＤＣＴ係数を得る。そして、ハフマンテーブル設定処理部４０１にてハフマンテーブルを所定のテーブルに設定することにより、ハフマンテーブルを変更する（Ｓ８０２）さらに、ハフマンテーブル設定処理部４０１で設定されたＪＰＥＧ規格のTypical Huffman Tableを用いて、可変長復号処理部３０１から得られたＤＣＴ係数を、可変長符号化処理部３０３で可変長符号化を行なう（Ｓ８０３）。可変長符号化処理部３０３の処理内容は、実施の形態３と同様である。この場合も、ハフマンコードの置換えのみ発生するので、画質劣化はない。
【００４７】
このように、本実施の形態４によれば、ＤＣＦ非準拠のＪＰＥＧデータを画質の劣化なくＤＣＦ準拠のＪＰＥＧデータに変換することができるとともに、他のＤＣＦ準拠の機器との連携を可能にすることができる。
【００４８】
（実施の形態５）
図１５は、本発明の実施の形態５における画像変換装置１５００の構成を示す機能ブロック図である。
【００４９】
画像変換装置１５００は、実施の形態１〜実施の形態４の各画像変換装置を組み合わせたものであり、図１〜図４と同一構成である部分には同一の符号を付してその説明は省略する。なお、図１５に示すように実施の形態１〜実施の形態４の各画像変換装置を組み合わせても良いし、実施の形態１〜実施の形態４の各画像変換装置の内、任意の組合せで画像変換装置を構成しても良い。
【００５０】
また、上記実施の形態１〜実施の形態５の処理を、コンピュータプログラムにより実現することも可能であり、このソフトウェアを収めた記録媒体から読み出して上記実施の形態１〜実施の形態５の処理を実現することも可能である。この場合、用いる記録媒体として、例えば、半導体メモリ、磁気記憶装置、光記憶装置、光磁気記録装置がある。
【００５１】
なお、上記実施の形態１〜実施の形態５の画像変換装置は、通信端末装置またはディジタルスチルカメラに適用することが可能である。
【産業上の利用可能性】
【００５２】
本発明は、特に、ＤＣＦ非準拠のＪＰＥＧデータをＤＣＦ準拠のＪＰＥＧデータに変換するのに好適である。
【図面の簡単な説明】
【００５３】
【図１】本発明の実施の形態１に係る画像変換装置の構成を示す機能ブロック図
【図２】本発明の実施の形態２に係る画像変換装置の構成を示す機能ブロック図
【図３】本発明の実施の形態３に係る画像変換装置の構成を示す機能ブロック図
【図４】本発明の実施の形態４に係る画像変換装置の構成を示す機能ブロック図
【図５】本発明の実施の形態１に係る画像変換装置の動作を示すフロー図
【図６】本発明の実施の形態２に係る画像変換装置の動作を示すフロー図
【図７】本発明の実施の形態３に係る画像変換装置の動作を示すフロー図
【図８】本発明の実施の形態４に係る画像変換装置の動作を示すフロー図
【図９】本発明の実施の形態１に係る画像変換装置の量子化テーブル結合処理部での動作を説明するための図
【図１０】本発明の実施の形態２に係る画像変換装置のハフマンテーブル結合処理部での動作を説明するための図
【図１１】本発明の実施の形態３に係る可変長符号列を示す図
【図１２】本発明の実施の形態３に係る可変長符号列を復号したＤＣＴ係数を示す図
【図１３】本発明の実施の形態３に係るＤＣＴ係数をＤＣＦ準拠に変換後の可変長符号列を示す図
【図１４】本発明の実施の形態３に係るハフマンテーブルを示す図
【図１５】本発明の実施の形態５に係る画像変換装置の構成を示す機能ブロック図
【符号の説明】
【００５４】
１００、２００、３００、４００、１５００  画像変換装置
１０１  量子化テーブル抽出処理部
１０２  量子化テーブル一時保持部
１０３  量子化テーブル結合処理部
２０１  ハフマンテーブル抽出処理部
２０２  ハフマンテーブル一時保持部
２０３  ハフマンテーブル結合処理部
３０１  可変長復号処理部
３０２  リスタートインターバル設定処理部
３０３  可変長符号化処理部
４０１  ハフマンテーブル設定処理部
【図１】
2006101212.tif 000003
【図２】
2006101212.tif 000004
【図３】
2006101212.tif 000005
【図４】
2006101212.tif 000006
【図５】
2006101212.tif 000007
【図６】
2006101212.tif 000008
【図７】
2006101212.tif 000009
【図８】
2006101212.tif 000010
【図９】
2006101212.tif 000011
【図１０】
2006101212.tif 000012
【図１１】
2006101212.tif 000013
【図１２】
2006101212.tif 000014
【図１３】
2006101212.tif 000015
【図１４】
2006101212.tif 000016
【図１５】
2006101212.tif 000017